(57)【特許請求の範囲】
【請求項１】
内部が空洞で底面に開口部を有する乾燥室と、前記乾燥室内に熱風を送風するドライヤーと、前記乾燥室内に送風された前記熱風を取り出す、前記乾燥室の上面前方に形成された２つの温度調整ドアーと、前記乾燥室の前後底面部に設けられた滑走用の曲面形状の袖部と、前記乾燥室の上面外部に設けられた取手とを備えた乾燥機。
【請求項２】
前記乾燥室の上面外部に、前記乾燥室の中の温度を示す温度計を有する事を特徴とする請求項１に記載の乾燥機。
【発明の詳細な説明】
【技術の分野】
【０００１】
本発明は、畳・じゅうたん・布団・ソファーなどに生息するダニ・ノミなどを５０〜１００度の熱で一瞬で殺すダニ殺しであり、又小物の下着やくつ下・運動靴などを乾燥させるための予熱室兼乾燥室を設けた熱風式のダニ殺し兼乾燥機に関する。
【背景技術】
【０００２】
従来のダニ殺しは電気掃除機形の温熱風発生装置により発生した、温熱風を床面に噴出させ予熱室を通って大気中に排出していた。
【先行技術文献】
【特許文献】
【０００３】
【特許文献１】特公平６−１４８２６号公報
【発明の概要】
【発明が解決しようとする課題】
【０００４】
現在ダニが原因でおこる皮膚病・ぜんそく・アレルギーなど子供から大人までが被害を受けている。原因はダニの繁殖が一番である。
【０００５】
ダニが一番繁殖しやすい、じゅうたん・ソファー・布団などは除去する対象物が大きいため、簡単に除去する事ができなかった。
【課題を解決するための手段】
【０００６】
本発明は、内部が空洞の予熱室兼乾燥室と、予熱室兼乾燥室に熱風を送風するドライヤーと、予熱室兼乾燥室内に送風された熱風を取り出す温度調整ドアーとを備え、ドライヤーは少なくとも２つの温度の前記熱風を送風できるダニ殺し兼乾燥機である。
【０００７】
熱風ドライヤーで発生した、熱風をダニ殺し兼乾燥機の予熱室兼乾燥室に噴出させ、その中の温度を５０〜１００度の温度でダニ・ノミなどを殺す事を目的とするダニ殺し兼乾燥機であって、ダニ殺し以外に予熱室兼乾燥室の下に乾燥用敷物を敷き、その上に乾燥させる小物を置いて高温・中温・送風のいずれかを噴出させて、乾燥させるように構成されている、ダニ殺し兼乾燥機。
【発明の効果】
【０００８】
上述したように本発明のダニ殺し兼乾燥機は小型で軽いため、片手で持ってアイロンを掛けるように、じゅうたん・ソファー・布団・畳など大きい物から小さい物まで簡単にダニ殺しができる。
【図面の簡単な説明】
【０００９】
【図１】ダニ殺し兼乾燥機の斜視図。
【図２】ダニ殺し兼乾燥機の側面図。
【図３】ダニ殺し兼乾燥機の底面図。
【図４】ダニ殺し兼乾燥機の予熱室兼乾燥室にくつ下、シューズを入れ、乾燥する前の斜視図。
【図５】乾燥用敷物の斜視図。
【図６】ダニ殺し兼乾燥機の後部に付いている、熱風ドライヤーを外して、ヘヤ―ドライヤーとして使用する、熱風ドライヤーの側面図。
【図７】じゅうたんにダニ殺し兼乾燥機をかけて、ダニを殺している図。
【図８】布団にダニ殺し兼乾燥機をかけてダニ殺しをしている図。
【図９】ソファーにダニ殺し兼乾燥機をかけてダニ殺しをしている図。
【図１０】畳にダニ殺し兼乾燥機をかけてダニを殺している図。
【発明を実施するための形態】
【００１０】
以下本発明の実施の形態を図１〜図１０に基づいて説明する。
【００１１】
図１はダニ殺し兼乾燥機の斜視図を示す。この図において、ダニ殺し兼乾燥機の本体１Ａの中は空洞になっており、ダニはこの空洞の中で殺すようになっている。また本体１Ａの上部の一番前（図面の左側）には温度調整ドアー１４と、その上側には本体１Ａの中を見る事ができる観察窓１１を設けている。その上に取手１０があり、取手１０の横には予熱室兼乾燥室２の中の温度を示す温度計１２を設けている。
【００１２】
本体１Ａの一番後ろの外部側には熱風ドライヤー３の取付口１９があり、その取付口１９に熱風ドライヤー３の取手部分３Ａを取りつけ、後部の熱風ドライヤー３の差し込口６Ａに熱風ドライヤー３の熱風吹出し口３Ｂを差し込んで使用する。
【００１３】
図２はダニ殺し兼乾燥機の側面図を示す。温風ドライヤー３のスイッチ９を入れ空気吸入口８から入った空気を暖め、熱風吹出し口３Ｂから出た熱風が予熱室兼乾燥室の下から上部に回転して、温度調整ドアー１４から熱風を取り出し、また外部から室温の空気を取り入れて温度設定ができる。
【００１４】
図３はダニ殺し兼乾燥機１の底面図であって、このダニ殺し兼乾燥機１底面の部分は無く、ただし底の前部と後部に５０ｍｍ〜６０ｍｍぐらいの袖部７を設けているため、前後にすべりやすくなっている。
【００１５】
本発明のダニ殺し兼乾燥機は図１に示すように、長さが約５００ｍｍ巾約２５０ｍｍ高さ約２８０ｍｍぐらいの断熱材でできた物体で形成されているダニ殺し兼乾燥機１である。
【００１６】
このダニ殺し兼乾燥機１の試作品を作ってヘヤードライヤーＡＣ１００Ｖ、５０〜６０Ｈｚ、１０００Ｗでスイッチをｈｉｇｈに入れて実験をして見た結果、予熱室兼乾燥室の温度が３分で８５度、４分で９０度・５分で１００度まで上がった。１００度以上には上がらなかった。
【００１７】
図４は乾燥機として使用している図である。ダニ殺し兼乾燥機１の予熱室兼乾燥室２の下に乾燥用敷物１６を敷いて、その上に乾燥させる品物を置いて、本体１Ａを上から被せている図。
【００１８】
このダニ殺し兼乾燥機１はダニ殺し以外に小物のくつ下、下着、シューズなどを乾燥室２の中に入れて乾燥させる事ができる。
【００１９】
乾燥させる場合は品物によって熱風乾燥か送風乾燥かを選んで使用できる。
【００２０】
図５は乾燥させる品物を汚さないための敷物である。この敷物は１００度の温度に耐える耐熱材を使用している。
【００２１】
図６は本体１Ａに付いている、熱風ドライヤー３を本体１Ａから外している図であって、この熱風ドライヤー３で髪の毛を乾燥させる事ができるように成形されている。
【００２２】
本発明は図７に示すように、じゅうたんの上にダニ殺し兼乾燥機を載せて、前後にすべらせる事により、じゅうたんのダニを一瞬で殺し、又じゅうたんの乾燥もできる。
【００２３】
図８は羽毛布団にダニ殺し兼乾燥機で乾燥させている図であって、羽毛布団などの場合はスイッチを中温にする。高温で使用する場合は温度調整ドアーを開けて温度を下げて乾燥させる事ができる。
【００２４】
図９はソファーにダニ殺し兼乾燥機を掛けている図。
【００２５】
図１０は畳にダニ殺し兼乾燥機を掛けている図であるが、畳の場合ダニが畳の中に入り込んでいるため、少し高めの高温８０度ぐらいで掛けている図である。
【００２６】
ダニ殺しを使用中に、なにかの原因で予熱室兼乾燥室の温度が急激に上がれば、温度計を上部の目のつく場所に設けているため、直ぐにスイッチ９を切る事ができるので安心である。
【００２７】
以上のように、本実施の形態の発明のダニ殺し兼乾燥機は、熱風ドライヤーで発生した、熱風をダニ殺し兼乾燥機の予熱室兼乾燥室に噴出させ、その中の温度を５０〜１００度の温度でダニ・ノミなどを殺す事を目的とするダニ殺し兼乾燥機であって、ダニ殺し以外に予熱室兼乾燥室の下に乾燥用敷物を敷き、その上に乾燥させる小物を置いて高温・中温・送風のいずれかを噴出させて、乾燥させるように構成されている。予熱室兼乾燥室内の温度は、６０〜８０度に設定することにより、より効果的にダニ殺し又は乾燥を行うことができる。
【符号の説明】
【００２８】
１    ダニ殺し兼乾燥機
１Ａ    本体
２    予熱室兼乾燥室
３    熱風ドライヤー
３Ａ    熱風ドライヤーの取手部分
３Ｂ    熱風吹出口
４    モーター
５    ヒーター
６Ａ    熱風ドライヤー差し込口
７    袖部
８    空気吸入口
９    スイッチ
１０    取手
１１    観察窓
１２    温度計
１３    センサ
１４    温度調整ドアー
１５    コンセント
１６    乾燥用敷物
１７    シューズ
１８    くつ下
１９    熱風ドライヤー取付口
２０    熱風
【要約】
【課題】
従来のダニ殺し機は電気掃除機形がほとんどで、片手に持って簡単にソファー・布団・畳などに掛ける事ができなかった、又ヒーターの中に埃が入り火花がでて危険な状態を確認できるような構造になっていなかった。その外にも小物のくつ下・下着・シューズなどを予熱室兼乾燥室の中で乾燥させる事などできなかった。
【解決手段】
本発明は、内部が空洞の予熱室兼乾燥室と、予熱室兼乾燥室に熱風を送風するドライヤーと、予熱室兼乾燥室内に送風された熱風を取り出す温度調整ドアーとを備え、ドライヤーは少なくとも２つの温度の前記熱風を送風できるダニ殺し兼乾燥機である。
【選択図】図１【図４】
0005898366.tif 000002
【図５】
0005898366.tif 000003
【図６】
0005898366.tif 000004
【図７】
0005898366.tif 000005
【図８】
0005898366.tif 000006
【図９】
0005898366.tif 000007
【図１０】
0005898366.tif 000008
【図１】
0005898366.tif 000009
【図２】
0005898366.tif 000010
【図３】
0005898366.tif 000011